(57)【要約】      （修正有）【課題】害獣をセンサーで検知し、レーザー発振器によりレーザー光線を害獣の眼に照射して監視領域への侵入を阻止する害獣忌避装置を提供する。【解決手段】監視領域の各辺に対応して配置され害獣の侵入を検知するセンサーと、上記監視領域の各辺に向けて放射状に配置された複数台のレーザー発振器５ａ、５ｂ、５ｄを有するレーザー発生装置６と、各レーザー発振器の先端に装着されてレーザーの指向性を広げる広角レンズＬまたは代用品と、レーザー発振器を制御する制御部に蓄電池１５を介して給電する太陽光パネル１２からなる発電装置と、前記レーザー発生装置を支持する高さ調節可能な架台１６とからなることを特徴とする。【選択図】図２
0003211108.tif 000002
【実用新案登録請求の範囲】
【請求項１】
略平面からなる監視領域で害獣の侵入を防ぐ害獣忌避装置において、
監視領域の各辺に対応して配置され害獣の侵入を検知するセンサーと、
上記監視領域の各辺に向けて放射状に配置された複数台のレーザー発振器を有するレーザー発生装置と、
各レーザー発振器の先端に装着されてレーザーの指向性を広げる広角レンズまたはその代用品と、
レーザー発振器を制御する制御部に蓄電池を介して給電する太陽光パネルからなる発電装置と、
前記レーザー発生装置を支持する高さ調節可能な架台と
を備えてなることを特徴とする害獣忌避装置。
【請求項２】
降水の有無を検出する降雨センサーを設け、降雨時に制御部の電源をＯＦＦにすることを特徴とする請求項１に記載の害獣忌避装置。
【考案の詳細な説明】
【技術分野】
【０００１】
本考案は、平地において害獣をセンサーで検知し、固定されたレーザー発生装置によりレーザー光線を一定時間点灯後に自動的に消灯する害獣忌避装置に関するものである。
【背景技術】
【０００２】
畑などの農地で植生しているジャガイモの種芋や長芋などの農作物や野菜、筍や筍の芽などに対して、猪、猿、ハクビシン、キョンなどの害獣が食べ荒らしたり、掘り起こして農業被害を与えているが、これに対して柵や電線を張り巡らせて浸入を防いだり、音を発生させて追い払うなどしているが、未だ十分な効果を挙げていない。
例えば、特開２０１３−１２３３９４の有害動物撃退装置では、有害動物の学習効果による撃退効果の低減を阻止し、かつ、撃退効果をより一層高めるために、撃退音の発生データまたは発生プログラムを入力する入力部と、当該入力部からの情報によって撃退音を発生させる撃退音信号発生部と、当該撃退音信号を増幅する増幅部と、当該増幅部に接続された内蔵もしくは外付けスピーカーと、撃退音信号に連動して点滅する複数個のＬＥＤとで有害動物撃退装置とした構成が知られている。
しかし、刺激となる撃退音やＬＥＤの光では、未だ有害動物の撃退効果は十分とはいえなかった。
また、実用新案登録第３１９９５１８号の害獣忌避装置では、監視領域内で駆動し、高輝度で投射方向が一定の閃光を断続的に放射する発光装置と、該発光装置を回転させる回転装置とからなる害獣忌避装置において、回転装置が、監視領域内に設けられた環状のガイドレールと、該ガイドレールに沿って移動する回転走行部とからなっており、発光装置はガイドレールに沿った周回によって、監視領域内の害獣に前記閃光を不規則に放射してなることを特徴とする害獣忌避装置が提案されている。
上記構成では、閃光を断続的に放射する発光装置を回転装置で回転させる構成からなっているので、広範囲をカバーすることができるが、回転するために時間差が生じ、複数個所に同時に害獣が侵入した際には、監視領域に同時に閃光させることができない。
【先行技術文献】
【特許文献】
【０００３】
【特許文献１】特開２０１３−１２３３９４号公報
【特許文献３】実用新案登録第３１９９５１８号公報
【考案の概要】
【考案が解決しようとする課題】
【０００４】
レーザー光は、害獣が目にすることで本能的に驚愕し威嚇効果が優れているため、害獣の忌避装置として種々の用い方が知られている
この考案では、レーザー光の照射により害獣を忌避する場合、従来は、一面照射のレーザー装置を用いており、山裾の畑作には有効であったが広い平野にある畑作では十分ではなく、また回転装置を用いても前述のように照射に時間差が生じてしまう。
そこで、本件考案は、上記事情に鑑みて創案したものであって、その解決しようとする課題は、平地において、レーザー装置を監視領域の各辺に向けて配置して東西南北を保護領域として、どの方向から害獣が侵入しても、レーザー光を照射することができる害獣基肥装置を提供することにある。
【課題を解決するための手段】
【０００５】
本考案は、上記課題を解決するために、請求項１の考案では、
略平面からなる監視領域で害獣の侵入を防ぐ害獣忌避装置において、
監視領域の各辺に対応して配置され害獣の侵入を検知するセンサーと、
上記監視領域の各辺に向けて放射状に配置された複数台のレーザー発振器を有するレーザー発生装置と、
各レーザー発振器の先端に装着されてレーザーの指向性を広げる広角レンズまたは代用品と、
レーザー発振器を制御する制御部に蓄電池を介して給電する太陽光パネルからなる発電装置と、
前記レーザー発生装置を支持する高さ調節可能な架台と
を備えてなることを特徴とする。
請求項２の考案では、
降水の有無を検出するセンサーを設け、降雨時には制御装置の電源をＯＦＦにすることを特徴とする。
【考案の効果】
【０００６】
この考案は、レーザー光の照射により害獣を忌避する場合、レーザー発振器を回転させることなく、広角レンズまたは代用品を用いて指向性を広げることで対応して、レーザー発振器の位置を固定することができる。
これにより、平面で広い畑などの保護領域に四方から進入してくる害獣を、各辺に対応して１台ずつ配置されたレーザー発振器を用いてレーザー光を照射させて撃退させることができる。
また、降雨時には、害獣の侵入が殆ど無いことから、降雨センサーを用いてレーザー発振器の制御装置を停止させることで省電を図ることもできる。
【図面の簡単な説明】
【０００７】
【図１】実施例１の害獣忌避装置の平面図である。
【図２】害獣忌避装置の主要部を示す正面図である。
【図３】害獣忌避装置の概要を示すブロック図である。
【考案を実施するための形態】
【０００８】
この考案では、害獣忌避装置は、監視領域の四方に赤外線センサーを設けておき、該赤外線センサーで害獣を検知すると、当該赤外線センサーで検知したエリアに対応するレーザー発振器を作動してレーザー光を一定時間発振させる。
ここでレーザー光の色彩は、夜間と日中で区別してもよい。
レーザー発振器は、四方に向けて各１台ずつ固定して使用するので、害獣の進入と同時にレーザー光を照射することができる。
【実施例１】
【０００９】
［害獣忌避装置］
図１から３に示す実施例１の害獣忌避装置１は、赤外線センサー２と、４台のレーザー発振機からなるレーザー発生装置６と、制御部１０と、太陽光パネル発電装置と蓄電池とからなっている。
この害獣忌避装置１の監視領域Ｅは、平地で農作物を生育する田畑などの生育地を対象としている。
【００１０】
まず、監視領域Ｅの各外周辺（図示例では四辺）には、それぞれ害獣の侵入を検知するため検知領域が設定されて一対の送受信機からなる赤外線センサー２で検知が行われる。
本実施例では、略正方形の監視領域Ｅの４辺に沿って４セットの赤外線センサーが設定されている。
【００１１】
即ち、赤外線センサー２（２ａ〜２ｄ）の設置場所は、監視領域Ｅへ害獣が侵入する際に通る領域での害獣の有無を検知可能な場所である。
赤外線センサー２は、上記個所での害獣の有無を検知するもので、該赤外線センサー２が害獣を検知すると検知信号がレーザー発生装置６の制御部１０に無線または有線で送信される。
【００１２】
制御部１０では、赤外線センサー２（２ａ〜２ｄ）が検知した検知領域を特定し、レーザー発生装置６から該検知領域に対応したレーザー発振器５を作動させ、レーザー光を発振させる。
換言すると、レーザー発生装置６は、赤外線センサー２で監視する各辺に対応してレーザー光を照射しうる数のレーザー発振器５、本実施例では四辺に対して４台のレーザー発振器５（５ａ〜５ｄ）が、管理領域Ｅの各辺に向けて配置されている。
本実施例では、１台のレーザー発振器５が監視領域Ｅの一辺に対応して配置しており、上記赤外線センサー２で害獣の侵入が検知されるとレーザー光を発振するが、害獣の習癖に対応して前記レーザー発振器（例えば５ａ）に限らず、これに隣接するレーザー発振器（５ａと５ｂ、または５ａ、５ｂ、５ｄ））を同時に作動させてもよい。
【００１３】
この考案では、レーザー光は指向性が狭いので、レーザー発振器５の先端に広角レンズＬまたは代用品を取り付けて指向性を広げるようにしている。
代用品としては、例えば、横５０ｃｍ縦２５ｃｍ程度の黒色に着色した矩形の一対の段ボールや板で、レーザー発振器５の先端の左右で前方が広がるようにハ字状に配置したものなどを用いてもよい。
【００１４】
制御部１０は、前記検知信号を基に、特定した領域（例えば２ａ）に対応するレーザー発振器（５ａ）に対してレーザー光を所定時間発振させるように制御する。
ここで発振時間の一例を示すと２分〜５分間程度で害獣を追い払うことができるが、害獣が引き返して再出現しないように例えば１０分程度続行してもよい。
【００１５】
制御部１０は、予め設定した所定の時間が経過するとレーザー発生装置６のレーザー発振を自動停止させる。
上記レーザー発振時間は、忌避対象の害獣の種類に応じて、経験則上、引き返してくることがない時間を適宜設定することができる。
【００１６】
また、この考案では、降水センサー３を設けることが好ましい。
即ち、本実施例が対象とする害獣は、雨が降っている場合は、監視領域内に入ることは殆ど無いので、降水センサー３で降水状態を検知すると、前記赤外線センサー２やレーザー発生装置６、これらを制御する制御部１０を停止させる。
降水センサー３で雨が上がったことが検出されたら、前記制御部１０を作動させる。
このようにすることで、省電をはかることができる。
【００１７】
また、害獣がキョンなどの場合には、夜間に雨が降った場合には、夜の間は雨が止んでも制御機を停止させ、図示しない時計センサーまたは明かりセンサーで夜明けを判定し、夜明けと共に制御部１０を作動させるようにしてもよい。
これは、キョンの習性で夜中に雨が降って上がった翌朝に子連れの団体で田畑にあらわれるからである。
【００１８】
このように害獣忌避装置１では、害獣が監視領域Ｅ内に入ると、高性能の赤外線センサー２が感知し、制御部１０を介してレーザー発生装置６の対応するレーザー発振器５が素早くレーザー光を発振させる。
害獣にとっては、突然レーザー光が発振されるので本能的に驚愕し、危険を察知するので、素早くもときた方へ向かって逃げ去る。
【００１９】
そのためレーザー光は、害獣の眼に向けて発射されることが好ましく、後述のように、予想される害獣の眼の高さに対応した高さ調整が必要となる。
害獣の姿が見えなくなるまでの所要時間は、平均値で約２分〜５分であったので、照射時間は、２〜５分程度が好ましいが、この考案では特に照射時間は限定せず、害獣の種類や環境などに応じて経験的に定めれば良い。
【００２０】
次に、太陽光パネル１２は、ソーラーパネル多結晶と逆流防止器付き充電回路を有するソーラーチャージャコントローラからなる公知構成からなっている。
太陽光パネル１２で発電された電気は、リチウムイオン蓄電池１５に蓄電され、該蓄電池１５から制御部１０を介してレーザー発生装置６と赤外線センサー２や降雨センサー３に電気を給電している。
【００２１】
赤外線センサー２は、害獣が監視領域Ｅに入るかをキャッチする精度の高い広角の赤外線センサー２（一対の送受信機）を、監視領域Ｅの４面の各面ごとに設置することで、どの方向から監視領域Ｅに害獣が侵入しても害獣の進入を検知することができるようにしておく。
【００２２】
本実施例では、監視領域が略正方形からなっているが、三角形の場合には各辺に対応して３台のレーザー発振器５を配置し、多角形の場合は、各辺に対して辺の数のレーザー発振器５を配置してもよい。
更に、長方形の場合には、長手辺の領域が１台のレーザー発振器５でカバーできない場合には２台などの複数台のレーザー発振器５で分担してカバーしてもよい。
【００２３】
前記赤外線センサー２からの検知信号が制御部１０に出力されると、制御部１０を介してレーザー発生装置６から前記赤外線センター２（例えば２ａ）に対応するレーザー発振器（５ａ）から直ちにレーザー光が害獣に向けて発振される。
前述のように、レーザー発振器５は、検知信号を発した赤外線センサー２に対応するが、１台に限らず複数台のレーザー発振器５を作動させてもよい。
【００２４】
レーザー発生装置６は、１つのボックス内に全部のレーザー発振器５を放射状に収納するが、盗難防止装置を設けることが好ましく、レーザー発生装置６を盗もうとする者や何らかの外的衝撃によってボックスが動くと盗難防止用の警報音や警報灯が作動するようにすれば盗難や損傷を防止することができる。
【００２５】
このレーザー発生装置６は、ボックス内に本実施例では４台のレーザー発振器５の先端が、それぞれ四方を向くようにボックスの中心軸に対して９０度間隔で配置されて固定されている。
このレーザー発生装置６は、害獣の目の高さにレーザー光の照準が合うように、例えば１例を挙げると,レーザー発振器５が約１ｍ５０ｃｍ程度の高さに設定され、レーザー光の監視領域の周縁で約３０〜５０ｃｍとなるように設定されることが好ましい。
この高さは、忌避対象の害獣によって、適宜調整しうるようになっている。
【００２６】
次に、架台１６は、高さ調整用の軸１７と、該軸１７を支持する４つの脚部１８を有しており、前記軸１７にレーザー発生装置６のボックス中央が固定されて高さ調節や向きの調節が可能となっている。
架台１６の脚部１８の先端は、監視領域の略中央で地面に差し込んで固定されている。
【００２７】
本実施例では、レーザー発生装置６のボックスは、架台１６の軸に固定された固定台１９を介して固定されている。
この固定台１９には、太陽光パネル１２から発電された電力を蓄電するバッテリー１５が固定されている。
また、レーザー発生装置６のボックスは防水仕様からなっており、制御部１０が内蔵されている。
【００２８】
太陽光パネル１２は、本実施例では、レーザー発生装置６のボックスの上部に取り付けられているが、レーザー発生装置６とは別にその近傍に設置されていてもよい。
そして、太陽光パネル１２から蓄電池１５に給電された電気は、制御部１０を介して、赤外線センサー２やレーザー発振器５に導入される。
【００２９】
その他、この考案は上記実施例に限定されるものではなく、要するにこの考案の要旨を変更しない範囲で種々設計変更することができる。
【符号の説明】
【００３０】
１    害獣忌避装置
３    降雨センサー
２（２ａ〜２ｄ）赤外線センサー
５（５ａ〜５ｄ）レーザー発振器
６    レーザー発生装置
１０    制御部
１２    太陽光パネル
１５    蓄電池
１６    架台
Ｅ    監視領域
Ｌ    広角レンズ
【図１】
0003211108.tif 000003
【図２】
0003211108.tif 000004
【図３】
0003211108.tif 000005